(57)【要約】【課題】突出部なしに機械的に２枚の金属板を締結する。【解決手段】垂直穴１４とテーパー穴１６が連続した形状の穴１２を有する下板１０に、上板２０をパンチでプレスし、該上板２０を前記穴１２に流入させてかしめ部２２を形成する。その際、前記上板２０に形成されるパンチ穴２４の径Ｄ３が、前記垂直穴１４の径Ｄ１よりも小さく、かつ、パンチ穴２４の深さＨ３が、上板２０の厚みＨ２よりも深くなるような構成とする。これにより、前記かしめ部２２は、前記垂直穴１４からテーパー穴１６の側面に沿うように横に広がり、下板１０に確実に締結する。また、金属板締結体３０を形成するための締結具は、下板１０を受けるダイと、上板２０をプレスするパンチを対向配置したもので、前記ダイには、前記垂直穴１４に嵌り、上下方向にシフト可能であって、前記パンチと連動するアンビルが設けられる。【選択図】図１
2013220463.tif 000002
【特許請求の範囲】
【請求項１】
第１の金属板に形成された穴に、第２の金属板をパンチでプレスして流入させたかしめ部を有する金属板の締結構造であって、
前記穴は、前記第２の金属板と締結する側に、前記第１の金属板の主面に対して垂直な面によって形成された垂直穴と、該垂直穴よりも径が大きく、前記第１の金属板の他方の主面側で開口した拡径部とが連続した形状であって、
前記第２の金属板に形成されるパンチ穴の径が、前記垂直穴の径よりも小さく、かつ、該パンチ穴の深さが、前記第２の金属板の厚みよりも深くなるように形成されており、
前記かしめ部が、前記垂直穴から拡径部の側面に沿って形成され、かつ、前記拡径部から突出しないことを特徴とする金属板の締結構造。
【請求項２】
前記拡径部が、前記垂直穴から、前記第１の金属板の他方の主面に向けて径が拡大したテーパー穴であることを特徴とする請求項１記載の金属板の締結構造。
【請求項３】
第１の金属穴に形成された穴に、第２の金属穴をパンチでプレスして流入させたかしめ部を有する金属板の締結構造であって、
前記穴は、前記第２の金属板と締結する側の主面から、前記第１の金属板の他方の主面側に向けて径が拡大したテーパー状であって、
前記第２の金属板に形成されるパンチ穴の径が、前記穴の小径側の径よりも小さく、かつ、前記パンチ穴の深さが、前記第２の金属板の厚みよりも深くなるように形成されており、
前記かしめ部が、前記穴のテーパー状の側面に沿って形成され、かつ、該穴から突出しないことを特徴とする金属板の締結構造。
【請求項４】
請求項１〜３のいずれか一項に記載の金属板の締結構造を有することを特徴とする金属板締結体。
【請求項５】
第１の金属板に、該第１の金属板の主面に対して垂直な面によって形成された垂直穴と、該垂直穴よりも径が大きく、前記第１の金属板の他方の主面側で開口した拡径部とが連続した形状の穴を形成する工程と、
前記垂直穴に沿ってシフト可能なアンビルを有するダイの上に、前記第１の金属板を前記拡径部がダイ側を向くように配置して、前記垂直穴に前記アンビルを嵌め、該第１の金属板上に、締結対象の第２の金属板を配置する工程と、
前記ダイに対向配置され、かつ、前記垂直穴よりも径が小さいパンチによって、前記第２の金属板を前記第１の金属板に向けてプレスし、該第２の金属板の厚みよりも深いパンチ穴を形成するとともに、前記パンチと連動して、前記アンビルをシフトさせる工程，
を含んでおり、
前記プレスする工程によって、前記第２の金属板を、前記垂直穴及び拡径部の側面に沿って流入させ、前記拡径部から突出しないかしめ部を形成したことを特徴とする金属板の締結方法。
【請求項６】
前記拡径部が、前記垂直穴から、前記第１の金属板の他方の主面に向けて径が拡大したテーパー穴であることを特徴とする請求項５記載の金属板の締結方法。
【請求項７】
第１の金属板に、一方の主面から他方の主面にかけて径が拡大するように形成されたテーパー状の穴を形成する工程と、
前記穴の貫通方向に沿ってシフト可能なアンビルを有するダイの上に、前記第１の金属板を、前記穴の大径側がダイ側を向くように配置して、前記穴に前記アンビルを嵌め、該第１の金属板上に、締結対象の第２の金属板を配置する工程と、
前記ダイに対向配置され、かつ、前記穴の小径側よりも径が小さいパンチによって、前記第２の金属板を前記第１の金属板に向けてプレスして、該第２の金属板の厚みよりも深いパンチ穴を形成するとともに、前記パンチと連動して、前記アンビルをシフトさせる工程，
を含んでおり、前記プレスする工程によって、第２の金属板を、前記穴のテーパー状の側面に沿って流入させ、前記穴から突出しないかしめ部を形成したことを特徴とする金属板の締結方法。
【請求項８】
請求項５〜７のいずれか一項に記載の金属板の締結方法によって第１の金属板と第２の金属板が締結されたことを特徴とする金属締結体。
【請求項９】
ダイと、該ダイに対向配置されたパンチからなる金属板の締結具であって、
前記ダイは、
主面に対して垂直な面からなる垂直穴と、該垂直穴よりも径が大きく他方の主面側で開口した拡径部とが連続した形状の穴を有する第１の金属板の前記拡径部側を受けるとともに、前記垂直穴に沿ってシフト可能なアンビルを有しており、
前記パンチは、
前記垂直穴よりも径が小さく、前記第１の金属板への締結対象の第２の金属板の厚みを超えて前記穴に進入するストロークが可能であって、
前記アンビルが、前記拡径部から抜けない範囲内で、前記パンチのストロークに連動してシフトすることで、前記垂直穴及び拡径部と前記パンチの外周面との間に、前記第２の金属板が、前記垂直穴を超えて拡径部に流入可能な空間を形成することを特徴とする金属板の締結具。
【請求項１０】
前記拡径部が、前記垂直穴から、前記第１の金属板の他方の主面に向けて径が拡大したテーパー穴であることを特徴とする請求項９記載の金属板の締結具。
【請求項１１】
ダイと、該ダイに対向配置されたパンチからなる金属板の締結具であって、
前記ダイは、
一方の主面から他方の主面にかけて径が拡大したテーパー状の穴を有する第１の金属板の大径側を受けるとともに、前記穴の貫通方向に沿ってシフト可能なアンビルを有しており、
前記パンチは、
前記穴の小径側よりも径が小さく、前記第１の金属板の締結対象の第２の金属板の厚みを超えて前記穴に進入するストロークが可能であって、
前記アンビルが、前記穴から抜けない範囲内で、前記パンチのストロークに連動してシフトすることで、前記穴と前記パンチの外周面との間に、前記第２の金属板が流入可能な空間を形成することを特徴とする金属板の締結具。
【発明の詳細な説明】
【技術分野】
【０００１】
本発明は、２枚の金属板を締結した締結構造，締結方法，締結具，金属板締結体に関し、更に具体的には、突出部なしに機械的な締結効果を得ることができる締結構造，締結方法，締結具，金属板締結体に関するものである。
【背景技術】
【０００２】
従来、２枚の金属板を重ねて接合するには、スポット溶接やリベット接合が行われてきた。しかしながら、スポット溶接は、一度に接合できる数量は、設備の関係で限られ、大量生産には向いていない。また、リベット接合では、穴を開けた金属板の穴の位置を合わせてリベットを通して叩き潰すため、強固に接合することはできるが、金属板表面に凸部が生じてしまう。下記特許文献１には、このような課題に対し、２枚の金属板に突起部を出さずに一体的に接合する接合方法を提供することが開示されている。当該技術によれば、下板のみにプレス加工で穴を空けておき、下板の下穴の破断面側を下にしてかしめ型のダイ突起部を挿入し、その上に上板を載せてから、パンチ形状が下穴と略同一のかしめ型にて鍛圧する。そして、穴にかしめピン部を形成すると同時に、該かしめピン部を下穴内にてコイニング加工をすることを特徴としている。
【先行技術文献】
【特許文献】
【０００３】
【特許文献１】特開２００３−８０３２８号公報
【発明の概要】
【発明が解決しようとする課題】
【０００４】
しかしながら、前記特許文献１に記載の技術では、下板に設ける下穴は全体がテーパー穴であるため、下板が薄くなるほど、下穴は垂直穴に近くなる。そして、垂直穴に近くなるほど、接合強度が低下し、薄い下板が変形してめくれたり抜けやすくなったりするという課題が生ずる。また、パンチ形状が下穴と略同一のかしめ型で鍛圧するため、パンチ穴を深く形成することができない。更に、プレスの際に、上板の下側とダイ突起部の間に空間が形成されているため、下穴内への上板の圧入が不十分な場合があった。
【０００５】
本発明は、以上のような点に着目したもので、突出部なしに機械的な締結効果を得ることができる金属板の締結構造，締結方法，締結具，金属板締結体を提供することを、その目的とする。
【課題を解決するための手段】
【０００６】
本発明の金属板の締結構造は、第１の金属板に形成された穴に、第２の金属板をパンチでプレスして流入させたかしめ部を有する金属板の締結構造であって、前記穴は、前記第２の金属板と締結する側に、前記第１の金属板の主面に対して垂直な面によって形成された垂直穴と、該垂直穴よりも径が大きく、前記第１の金属板の他方の主面側で開口した拡径部とが連続した形状であって、前記第２の金属板に形成されるパンチ穴の径が、前記垂直穴の径よりも小さく、かつ、該パンチ穴の深さが、前記第２の金属板の厚みよりも深くなるように形成されており、前記かしめ部が、前記垂直穴から拡径部の側面に沿って形成され、かつ、前記拡径部から突出しないことを特徴とする。主要な形態の一つは、前記拡径部が、前記垂直穴から、前記第１の金属板の他方の主面に向けて径が拡大したテーパー穴であることを特徴とする。
【０００７】
他の発明の金属板の締結構造は、第１の金属穴に形成された穴に、第２の金属穴をパンチでプレスして流入させたかしめ部を有する金属板の締結構造であって、前記穴は、前記第２の金属板と締結する側の主面から、前記第１の金属板の他方の主面側に向けて径が拡大したテーパー状であって、前記第２の金属板に形成されるパンチ穴の径が、前記穴の小径側の径よりも小さく、かつ、前記パンチ穴の深さが、前記第２の金属板の厚みよりも深くなるように形成されており、前記かしめ部が、前記穴のテーパー状の側面に沿って形成され、かつ、該穴から突出しないことを特徴とする。
【０００８】
本発明の金属板締結体は、前記いずれかの金属板の締結構造を有することを特徴とする。
【０００９】
本発明の金属板の締結方法は、第１の金属板に、該第１の金属板の主面に対して垂直な面によって形成された垂直穴と、該垂直穴よりも径が大きく、前記第１の金属板の他方の主面側で開口した拡径部とが連続した形状の穴を形成する工程と、前記垂直穴に沿ってシフト可能なアンビルを有するダイの上に、前記第１の金属板を前記拡径部がダイ側を向くように配置して、前記垂直穴に前記アンビルを嵌め、該第１の金属板上に、締結対象の第２の金属板を配置する工程と、前記ダイに対向配置され、かつ、前記垂直穴よりも径が小さいパンチによって、前記第２の金属板を前記第１の金属板に向けてプレスし、該第２の金属板の厚みよりも深いパンチ穴を形成するとともに、前記パンチと連動して、前記アンビルをシフトさせる工程，を含んでおり、前記プレスする工程によって、前記第２の金属板を、前記垂直穴及び拡径部の側面に沿って流入させ、前記拡径部から突出しないかしめ部を形成したことを特徴とする。主要な形態の一つは、前記拡径部が、前記垂直穴から、前記第１の金属板の他方の主面に向けて径が拡大したテーパー穴であることを特徴とする。
【００１０】
他の発明の金属板の締結方法は、第１の金属板に、一方の主面から他方の主面にかけて径が拡大するように形成されたテーパー状の穴を形成する工程と、前記穴の貫通方向に沿ってシフト可能なアンビルを有するダイの上に、前記第１の金属板を、前記穴の大径側がダイ側を向くように配置して、前記穴に前記アンビルを嵌め、該第１の金属板上に、締結対象の第２の金属板を配置する工程と、前記ダイに対向配置され、かつ、前記穴の小径側よりも径が小さいパンチによって、前記第２の金属板を前記第１の金属板に向けてプレスして、該第２の金属板の厚みよりも深いパンチ穴を形成するとともに、前記パンチと連動して、前記アンビルをシフトさせる工程，を含んでおり、前記プレスする工程によって、第２の金属板を、前記穴のテーパー状の側面に沿って流入させ、前記穴から突出しないかしめ部を形成したことを特徴とする。
【００１１】
他の発明の金属板締結体は、前記いずれかに記載の金属板の締結方法によって第１の金属板と第２の金属板が締結されたことを特徴とする。
【００１２】
本発明の金属板の締結具は、ダイと、該ダイに対向配置されたパンチからなる金属板の締結具であって、前記ダイは、主面に対して垂直な面からなる垂直穴と、該垂直穴よりも径が大きく他方の主面側で開口した拡径部とが連続した形状の穴を有する第１の金属板の前記拡径部側を受けるとともに、前記垂直穴に沿ってシフト可能なアンビルを有しており、前記パンチは、前記垂直穴よりも径が小さく、前記第１の金属板への締結対象の第２の金属板の厚みを超えて前記穴に進入するストロークが可能であって、前記アンビルが、前記拡径部から抜けない範囲内で、前記パンチのストロークに連動してシフトすることで、前記垂直穴及び拡径部と前記パンチの外周面との間に、前記第２の金属板が、前記垂直穴を超えて拡径部に流入可能な空間を形成することを特徴とする。主要な形態の一つは、前記拡径部が、前記垂直穴から、前記第１の金属板の他方の主面に向けて径が拡大したテーパー穴であることを特徴とする。
【００１３】
他の発明の金属板の締結具は、ダイと、該ダイに対向配置されたパンチからなる金属板の締結具であって、前記ダイは、一方の主面から他方の主面にかけて径が拡大したテーパー状の穴を有する第１の金属板の大径側を受けるとともに、前記穴の貫通方向に沿ってシフト可能なアンビルを有しており、前記パンチは、前記穴の小径側よりも径が小さく、前記第１の金属板の締結対象の第２の金属板の厚みを超えて前記穴に進入するストロークが可能であって、前記アンビルが、前記穴から抜けない範囲内で、前記パンチのストロークに連動してシフトすることで、前記穴と前記パンチの外周面との間に、前記第２の金属板が流入可能な空間を形成することを特徴とする。本発明の前記及び他の目的，特徴，利点は、以下の詳細な説明及び添付図面から明瞭になろう。
【発明の効果】
【００１４】
本発明によれば、(1)主面に対して垂直な面によって形成された垂直穴と、該垂直穴よりも径が大きく他方の主面側で開口した拡径部とが連続した形状の穴，あるいは、(2)一方の主面から他方の主面にかけて径が拡大したテーパー状の穴，を有する第１の金属板に、第２の金属板をパンチでプレスし、該第２の金属板を前記穴に流入させてかしめ部を形成する。その際、前記第２の金属板に形成されるパンチ穴の径が、前記穴の小径側の径よりも小さく、かつ、パンチ穴の深さが、前記第２の金属板の厚みよりも深くなるようにすることで、前記かしめ部が、(1)前記垂直穴から拡径部の側面に沿い，あるいは、(2)前記穴のテーパー状の側面に沿い、かつ、前記拡径部から突出しないようにした。このため、突出部なしに２枚の金属板を、機械的に強固に締結することができる。
【図面の簡単な説明】
【００１５】
【図１】本発明の実施例１を示す図であり、(A)は締結前の上板と下板を示す外観斜視図，(B)は締結後の締結体の断面図，(C)及び(D)は変形例を示す断面図である。
【図２】前記実施例１の締結体を製造するための締結具と締結工程を示す図であり、(A)は締結前の状態を示す図，(B)は締結後の状態を示す図である。
【発明を実施するための形態】
【００１６】
以下、本発明を実施するための最良の形態を、実施例に基づいて詳細に説明する。
【実施例１】
【００１７】
最初に、図１及び図２を参照しながら本発明の実施例１を説明する。図１(A)は、締結前の上板と下板を示す外観斜視図，図１(B)は締結後の金属板締結体の断面図であり、図１(C)及び(D)は変形例を示す断面図である。図２は、本実施例の金属板締結体を得るための締結具と締結工程を示す図であり、(A)は締結前の状態を示す図，(B)は締結後の状態を示す図である。図１(C)及び（D）については後述する。
【００１８】
図１(B)に示すように、本実施例の金属板締結体３０は、下板（第１の金属板）１０と上板（第２の金属板）２０を、前記下板１０に形成された穴１２に上板２０の一部を圧入したかしめ部２２によって締結させた締結構造３２を有している。前記穴１２は、図１(A)に示すように、上板２０と締結する側に、主面に対して垂直な面によって形成された垂直穴１４と、該垂直穴１４から他方の主面１０Ａに向けて径が拡大し、該他方の主面側で開口したテーパー穴１６が連続した形状となっている。
【００１９】
前記かしめ部２２は、前記垂直穴１４からテーパー穴１６にかけて形成されており、その底面２２Ａは、下板１０の主面１０Ａから突出しないか、面一となるように形成されている。前記かしめ部２２は、前記上板２０を図２に示す締結具５０のパンチ９０でプレスして、前記穴１２に流入させることで形成される。該パンチ穴２４の径Ｄ３は、前記垂直穴１４の径Ｄ１よりも小さい。また、前記パンチ穴２４の深さＨ３は、前記上板２０の厚さＨ２よりも深く、下板１０と上板２０の厚さの合計，すなわち、Ｈ１＋Ｈ２よりは浅い。
【００２０】
次に、図２(A)及び(B)を参照して、前記金属板締結体３０を形成する際に利用される締結具について説明する。金属板の締結具５０は、下板１０を受けるダイ６０と、上板２０をプレスするパンチ９０によって構成される。前記ダイ６０は、シリンダ６２と該シリンダ６２に対して可動するアンビル７０を備えている。前記シリンダ６２は、先端部６６の径が縮小しており、該先端部６６で前記下板１０を受ける。前記シリンダ６２の内側の中空部６４と、先端部６６の内側の中空部６８に前記アンビル７０が収容されている。アンビル７０は、前記シリンダ６２の中空部６４内でシフト（図示の例では、上下方向へのシフト）が可能な本体部７０Ｂと、該本体部７０Ｂの両側に連続形成された径が小さい縮径部７０Ａ及び７０Ｃを備えている。前記縮径部７０Ａは、その先端７２が前記下板１０の垂直穴１４に嵌る寸法に形成されている。すなわち、前記縮径部７０Ａの径Ｄ４と、前記垂直穴１４の径Ｄ１は、略同一である。
【００２１】
前記縮径部７０Ｃとシリンダ６２の内壁の間に形成された空間には、バネ７８が配置されている。該バネ７８の一端側は、前記アンビル７０の本体部７０Ｂと縮径部７０Ｃの境界の段差面７４に係合し、他端側は、前記シリンダ６２の底部７６に接している。図２(A)に示す状態では、前記バネ７８によって、アンビル７０は上方に付勢されており、前記縮径部７０Ａの先端７２が外部に突出している。突出部分の長さＴ１は、下板１０の厚さＨ１とほぼ同じである。
【００２２】
一方、前記パンチ９０は、前記ダイ６０に対向配置されており、パンチ９０の先端部９２の径Ｄ５は、前記垂直穴１４の径Ｄ１よりも小さく形成されている。また、パンチ９０は、図２の上下方向に進退可能であって、前記上板２０の厚みを超えて、前記穴１２に進入可能なストロークを行う。前記アンビル７０は、前記先端部７２が、前記テーパー穴１６から抜けない範囲内で、前記パンチ９０のストロークに連動してシフト可能となっている。すなわち、前記アンビル７０がシフトすることで、前記垂直穴１４及びテーパー穴１６と前記パンチ９０の外周面との間に、前記上板２０が流入するための空間８０を形成する。
【００２３】
次に、本実施例による金属板の締結工程を説明する。まず、前記下板１０に、垂直穴１４とテーパー穴１６が連続した穴１２を形成する。そして、前記テーパー穴１６側がダイ６０を向くように、ダイ６０の上に下板１０を配置し、前記アンビル７０の先端部７２を垂直穴１４に嵌め込む。そして、下板１０の上に、締結対象の上板２０を載せる。この状態で、図示しないプレス機構により、前記パンチ９０を図２(A)に示す状態から、図２(B)に矢印Ｆ２で示すように、上板２０をプレスする方向に移動させる。前記パンチ９０の先端が上板２０に接した後は、該パンチ９０の先端とアンビル７０の先端７２部で上板２０を挟みながらプレスする。プレスする力は、前記バネ７８の付勢力よりも強いため、前記バネ７４が縮んで、アンビル７０がシリンダ６０内で下方にシフトし、パンチ９０の周りに、上板２０が流入する空間８０を形成する。寸法の一例を示すと、アンビル７０の先端部７２が突出している長さＴ１が、図２(A)の状態で１．６ｍｍであり、アンビル７０の後端部と、バネ７８の後端の間の距離Ｔ２が、図２(A)の状態で１．３ｍｍだとしたとき、矢印Ｆ２方向へのプレス終了後、前記長さＴ１が０．３ｍｍ、長さＴ２が０ｍｍになるという具合である。この場合、かしめ部２２の底面２２Ａは、下板主面１０Ａから０．３ｍｍ凹んだ状態となる。
【００２４】
本実施例では、パンチ９０とアンビル７０によって挟まれた状態で穴１２に押込まれた上板２０の金属板は、塑性変形により延伸して薄くなり、垂直穴１４を通過したのち、テーパー穴１６の側面に沿うように横に広がる。この横に広がった部分が、テーパー面に係合するため、下板１０に対して上板２０が機械的に締結される。なお、かしめ部底面２２Ａが、どの程度、下板主面１０Ａから凹むようにするか、あるいは、面一となるようにするかは、必要に応じて適宜設定すればよい。
【００２５】
このように、実施例１によれば、次のような効果がある。
(1)垂直穴１４とテーパー穴１６が連続した形状の穴１２を有する下板１０に、上板２０をパンチ９０でプレスし、該上板２０を前記穴１２に流入させてかしめ部２２を形成する。その際、前記上板２０に形成されるパンチ穴２４の径Ｄ３が、前記垂直穴１４の径Ｄ１よりも小さく、かつ、パンチ穴２４の深さＨ３が、上板２０の厚みＨ２よりも深くなるよう構成する。これにより、前記かしめ部２２が、前記垂直穴１４からテーパー穴１６の側面に沿うように横に広がるため、強い締結効果が得られる。
(2)前記穴１２が、垂直穴１４とテーパー穴１６からなるため、前記垂直穴１４の周囲において下板１０の強度が低下することがなく、下板１０の変形による抜けやめくれ上がりを防止することができる。また、突状部がないため、省スペース化や設計の自由度の向上が可能となる。
【００２６】
(3)前記かしめ部底面２２Ａが、下板主面１０Ａと面一となるか、あるいは、前記主面１０Ａから若干凹むように形成するため、突状部を設けることなく、金属板の機械的な締結が可能となる。
(4)下板１０と上板２０を締結するための締結具５０のダイ６０に、前記垂直穴１４に嵌まり、かつ、前記穴１２から抜けない範囲内で、前記ダイ６０のシリンダ６２内を上下にシフトするアンビル７０を設けたので、加工時の位置決めが容易である。
(5)前記アンビル７０が、前記ダイ６０に対向配置されたパンチ９０と連動してシフト可能であるため、垂直穴１４及びテーパー穴１６と、パンチ９０との間に、上板２０の金属が流入するための空間８０を徐々に形成する。従って、テーパー穴１６に沿ったかしめ部２２を確実に形成することができる。
(6)締結自体は、ダイ６０とパンチ９０によるプレス工程のみで完了するため、締結作業を効率良く行うことができる。
【００２７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例１では、垂直穴１４にテーパー穴１６を連続形成することとしたが、これも一例であり、図１(C)に示す変形例のように、穴１２´そのものがテーパー状であってもよい。前記穴１２´は、第２の金属板２０側の径が小さく、反対側の主面１０Ａへ向けて径が拡大しており、前記パンチ穴２４は、前記穴１２´の小径側よりも径が小さく、その深さは、第２の金属板２０の厚みよりも深くなるように形成される。本例では、上述した実施例１の穴１２と比べて垂直穴１４がないため、締結強度は若干低下するものの、穴１２´の加工が容易であり、強度を必要としない締結であれば、十分に効果を発揮することができる。この場合に利用される締結具５０の構造は、基本的には実施例１と同様である。
【００２８】
(2)前記実施例１では、垂直穴１４にテーパー穴１６を連続形成することとしたが、これも一例であり、図１(D)に示す変形例のように、垂直穴１４よりも径が拡大した他の垂直穴１５を拡径部として形成し、前記垂直穴１５に上板２０が入り込むようにプレスしてもよい。この場合、垂直穴１４と垂直穴１５の境目の段差に、かしめ部２２の周縁２２Ｂが係合し、確実な締結効果が得られる。また、前記実施例では、垂直穴１４及びテーパー穴１６ともに断面略円形としたが、これも一例であり、垂直穴１４を多角柱型の穴としたり、テーパー穴１６を多角錐状の穴としたりしてもよい。
(3)前記実施例で示した締結工程も一例であり、同様の効果を奏するように、適宜変更可能である。
(4)前記実施例で示した締結具５０も一例であり、同様の作用・効果を奏する範囲内で、適宜設計変更可能である。
【産業上の利用可能性】
【００２９】
本発明によれば、(1)主面に対して垂直な面によって形成された垂直穴と、該垂直穴よりも径が大きく他方の主面側で開口した拡径部とが連続した形状の穴，あるいは、(2)一方の主面から他方の主面にかけて径が拡大したテーパー状の穴，を有する第１の金属板に、第２の金属板をパンチでプレスし、該第２の金属板を前記穴に流入させてかしめ部を形成する。その際、第２の金属板に形成されるパンチ穴の径が、前記穴の小径側の径よりも小さく、かつ、パンチ穴の深さが、第２の金属板の厚みよりも深くなるようにすることで、前記かしめ部が、(1)前記垂直穴から拡径部の側面に沿い、あるいは、(2)前記穴のテーパー状の側面に沿い、かつ、該拡径部から突出しないようにした。このため、２枚の金属板を、機械的に強固に締結する場合に好適である。特に、突状部がないため、省スペース化が必要とされる場合に好適である。
【符号の説明】
【００３０】
１０：下板（第１の金属板）
１０Ａ：主面
１２，１２´：穴
１４，１５：垂直穴
１６：テーパー穴（拡径部）
２０：上板（第２の金属板）
２２：かしめ部
２２Ａ：底面
２２Ｂ：周縁
２４：パンチ穴
２４Ａ：底面
３０：金属板締結体
３２：締結構造
５０：締結具
６０：ダイ
６２：シリンダ
６４，６８：中空部
６６：先端部
６８：中空部
７０：アンビル
７０Ａ，７０Ｃ：縮径部
７０Ｂ：本体部
７２：先端
７４：段差面
７６：底部
７８：バネ
８０：空間
９０：パンチ
９２：先端部
【図１】
2013220463.tif 000003
【図２】
2013220463.tif 000004